(57)【要約】【課題】従来の標的は、摩擦等により、経年の使用により板が劣化し、標的が斜辺板上を滑動しにくくなり途中で停止して自動的に立てなくなってしまう問題点があった。【解決手段】移動路１と、移動路１を移動可能な移動基台２と、移動基台２に設けられ略垂直方向の姿勢を維持しつつ一方側から力が加わると他方側へ回動し倒れ略水平方向の姿勢となる標的３０とを有する飛び遊戯具の標的装置において、標的３０に標的３０が倒れる側の面に標的磁石３１を設けるとともに、移動路１の移動基台２の到達停止位置の標的３０が倒れる側に位置し、移動基台２から倒れた標的３０が位置する場所に上面を向いて標的磁石３１と同じ磁極を有する固定磁石５を設ける飛び遊戯具の標的装置による。【選択図】  図１
2008281233.tif 000002
【特許請求の範囲】
【請求項１】
移動路と、移動路を移動可能な移動基台と、移動基台に設けられ略垂直方向の姿勢を維持しつつ一方側から力が加わると他方側へ回動し倒れ略水平方向の姿勢となる標的とを有する飛び遊戯具の標的装置において、
標的に、標的が倒れる側の面に標的磁石を設けるとともに、
移動路の移動基台の到達停止位置の標的が倒れる側に位置し、移動基台から倒れた標的が位置する場所に上面を向いて標的磁石と同じ磁極を有する固定磁石を設けることを特徴とする飛び遊戯具の標的装置。
【請求項２】
標的が、標的部と標的部取付板と標的磁石とを有し、標的部と標的部取付板とが着脱自在に設けられてなる請求項１記載の飛び遊戯具の標的装置。
【発明の詳細な説明】
【技術分野】
【０００１】
この発明は、エアガン、弓矢等の飛び遊戯具の標的装置に関する。詳細にはエアガン等を用いて実施される射撃競技用の標的装置に関する。
【背景技術】
【０００２】
従来、エアガン等の標的装置は、図１３乃至図１５に示すようにエアガン等の飛び遊戯具を操作する選手等に対して間隔を空けた平行方向に標的移動用レール等の移動路１０１を設け、移動路１０１の上を適宜の速さで移動する移動基台（台車）１０２及び移動基台上に立ち、弾や矢によって後方へ回動して倒伏可能な標的１０３を備えていた。
【０００３】
射撃競技等においてエアガン、弓矢等の飛び遊戯具を使用する選手等は、移動路１０１の一端である始発点から移動路上を適宜の速度で他端の到達点へ向かう移動基台１０２上に立っている標的１０３を狙って弾や矢を発射する。弾や矢が標的に当たると、標的１０３は移動基台１０２上で弾の衝突面の後方へ回動しほぼ水平状態に倒れる。
【０００４】
従来の標的装置は、後方に倒れた標的１０３を再度立たせるため、人力で立たせる他、自動的に立たせる構造として図１３乃至図１５に示すように移動路１０１（標的移動用レール）の両端部の後側の平行した位置に端部に行くほど高くなる斜辺板１０４を設けていた。そして倒れた標的１０３は、その斜辺板１０４上辺からなる斜辺に沿って登っていき徐々に移動基台１０２から立ち上がらせて、最端部の到達点に至ると立ち上がった状態になっていた（図１５（ａ）〜図１５（ｃ）参照）。
【０００５】
標的や斜辺板は、通常硬質合成樹脂製で形成されていた。
【発明の開示】
【発明が解決しようとする課題】
【０００６】
従来のように移動路１０１の両端部の後側の平行した位置に端部に行くほど高くなるように設けられる斜辺板１０４を使用すると、経年の使用により板が劣化し、標的１０３の滑動により標的１０３及び斜辺板１０４がすり減ったり当接面が粗くなって標的１０３が斜辺板１０４上を滑動しにくくなる。そして最後には標的１０３が斜辺板１０４の斜辺途中で停止して自動的に立てなくなってしまう問題点があった。
【０００７】
このように標的が、立ち上がらない場合は人力で標的を立ち上がらせる必要があった。特に射撃競技の場合、競技の進行を止めなければならず、選手の集中力の低下や競技の遅れの原因になる問題点があった。
【課題を解決するための手段】
【０００８】
上記の課題を解決するために、移動路と、移動路を移動可能な移動基台と、移動基台に設けられ略垂直方向の姿勢を維持しつつ一方側から力が加わると他方側へ回動し倒れ略水平方向の姿勢となる標的とを有する飛び遊戯具の標的装置において、
標的に、標的が倒れる側の面に標的磁石を設けるとともに、
移動路の移動基台の到達停止位置の標的が倒れる側に位置し、移動基台から倒れた標的が位置する場所に上面を向いて標的磁石と同じ磁極を有する固定磁石を設けることを特徴とする飛び遊戯具の標的装置を提案する。
【０００９】
また、標的が、標的部と標的部取付板と標的磁石とを有し、標的部と標的部取付板とが着脱自在に設けられてなる０００８欄記載の飛び遊戯具の標的装置を提案する。
【発明の効果】
【００１０】
この発明によれば、標的が、従来のように移動路の両端部の斜辺板等と物理的な接触がないため、標的の起きあがりミスもなく、標的が接触による摩擦のため経年変化したり劣化することがない。したがって長期間自動使用に耐え、移動に際しても接触摩擦によるロスがないため、移動力を効率よく使用することができる。
【００１１】
また、構造が簡易であるため、装置が故障しにくく保守点検が非常に容易であるという効果がある。そのため、特に射撃競技の場合、競技の進行を止めるおそれが低下するため選手の集中力を維持させ平等な状態で競技を行えるため、安心して競技を進行させる効果がある。
【発明を実施するための最良の形態】
【００１２】
この発明の実施形態について図１乃至図１２に基づいて説明する。この発明の実施形態の飛び遊戯具の標的装置は、移動路１と、移動路１上を移動可能な移動基台２と、移動基台２上に設けられ略垂直方向の姿勢を維持しつつ一方側から弾などの飛び道具により加わる力によって他方側へ回動して倒れ略水平方向の姿勢となる標的３０と、標的３０が倒れる側の面に標的磁石３１を設けてなる標的部３を有するとともに、移動路１の移動基台２の到達点Ｓとなる場所の標的部３が倒れる側Ｂにあり、移動基台２から倒れた標的部３が位置する移動路１に沿った場所に上面を向いて標的磁石３１と同じ磁極を有する固定磁石５を設けている。
【００１３】
飛び遊戯具の標的装置は、移動路１と直角の一面側から使用者が、エアガンの弾や矢等の飛び道具を発射するが、この明細書では、移動路１に関し、弾が発射され弾等に当たる側を前側Ｆ、標的部３が倒れる側を後側Ｂとして以下表記する。
【００１４】
移動路１は、この実施形態では金属製の角筒体からなるモノレールであるが複数のレール、あるいは溝状の路等で構成してもよく、その移動路１に沿って移動基台２が往復移動可能であればいい。この実施形態の移動路１は、端面がほぼ正方形の金属製の中空角筒体からなり、長手方向の一端部は中空角筒体の内部に摺動可能な箱状のアジャストパーツ１４を付設している。アジャストパーツ１４は、中空角筒体の端面部１５に設けられる調整ネジ１６をネジ回転させることによって移動路１の長手方向に調整移動する。
【００１５】
移動路１には、上面部１１の長手方向にスリットである走行案内孔１０を設ける。この実施例では移動路１を、全長１３００ｍｍ、幅２５ｍｍ、走行案内孔１０の長さを１１６０ｍｍ、幅５ｍｍとして形成している。走行案内孔１０は、移動路１の長手方向、幅方向とも、その中間部に位置させて設けてあるため、移動路１の両端部からの距離は、それぞれ７０ｍｍであり、その位置が移動基台２が到達停止し、また出発する停止地点Ｓ（始発点及び到達点）となる。移動路１の両端部には、前側の位置に保護カバー１７を立設している。
【００１６】
移動路１の下面部１２は、長手方向両側を開口させて保守点検開口部１８と、中央部に保守点検孔１３を設ける。保守点検開口部１８は、この実施例では両端部から約１１０ｍｍの長さで開口しており、保守点検孔１３は、下面部１２の長手方向に長さ１００ｍｍ、幅８ｍｍのスリットとして開口し、長さ方向、幅方向とも、その中間部に位置させて設けてある。底面に開口する保守点検開口部１８及び保守点検孔１３から内部の装置を点検できる。
【００１７】
移動基台２は、車輪２０と台部２１からなる台車である。台部２１は、角筒体である移動路１を前後に跨ぐように移動路１に設けられ、移動路１の幅方向両外側からフランジによって規制される車輪２０により移動路１の上面部１１を走行する。台部２１は、前側面にＬＥＤランプからなる当りランプ２２を設けている。当りランプ２２は、台部２１に内蔵される電池を電源とし、後述する標的部３の動きによって作動するスイッチと接続しており、標的部３の標的３０が倒れると当りランプ２２が点灯し、標的部３の標的３０が立つと当りランプ２２が消灯するように構成される。
【００１８】
移動基台２は、台部２１の下面で移動基台駆動部６のワイヤーベルト６０と、移動走行案内孔１０を貫通する固定ネジ２３によって着脱自在に固定されているとともに、台部２１の下面から走行案内孔１０内に突出させた中央ガイド突起２４を設けている。中央ガイド突起２４は移動基台２が、弾等が当る衝撃力によって移動路１から外れないように走行案内孔１０内で移動自在に設けられている。移動基台２の移動路１における走行範囲は、走行案内孔１０の長手方向長さ範囲である。
【００１９】
移動基台駆動部６は、移動路１の両端部の内部にそれぞれ設けられる駆動プーリ６２と従動プーリ６３と、この駆動プーリ６２と従動プーリ６３との間に掛け渡され回転可能なワイヤーベルト６０と、駆動プーリ６２を回転させるギヤードモータからなる駆動モータ６１とからなる。
【００２０】
駆動プーリ６２は、駆動モータ６１の駆動軸６１０にイモネジ６２０を用いて取り付けられ、駆動軸６１０は移動路１の中空角筒体に回転可能に設けられる。従動プーリ６３は、移動路１の一端部を構成する箱状の部材であるアジャストパーツ１４に回転軸６３０を回転可能に設ける。従動プーリ６３は、取り付けられているアジャストパーツ１４が、調整ネジ１６によって移動路１の長手方向に移動に伴い移動し、駆動プーリ６２との間を調整しワイヤーベルト６０の張りテンションを変更させて、移動基台２の移動速度を変更する。
【００２１】
移動路１の両端部の後側で、移動基台２が停止地点Ｓ（始発点及び到達点）のそれぞれの位置に固定磁石設置板５０を移動路１に固定してほぼ水平に設ける。それぞれの固定磁石設置板５０の上面に板状の磁石からなる固定磁石５を固定して設ける。固定磁石５の上表面の高さは、標的磁石３１が後側に倒れてほぼ水平状になったときの下表面と接しない程度の狭い間隔、７ｍｍ〜１０ｍｍ程度の間隔を空けて設けられる。標的磁石３１と固定磁石５の磁極は、同じ磁極を有して形成される。
【００２２】
標的部３は、この実施形態では弾等が当たる側である前側に設けられ硬質樹脂製、金属製、木製等の板状体から形成され、様々な大きさ、特有の形状を有する標的３０と、標的３０の後面と面ファスナー（ベルクロテープ）３２などの素材によって着脱自在に接着可能な標的取付板３３と、標的取付板３３の後面上部に接着剤等によって固定されて設けられる板状体から成る標的磁石３１とからなる。他の実施形態では標的部３の全体を板状体からなる標的磁石３１で形成してもよい。
【００２３】
標的取付板３３は、その後面下部で移動基台２の上面と蝶番４の蝶番回動軸４０を中心に回動自在かつ倒立自在に取り付けられており、立った状態と弾等が当たった場合に後側Ｂに倒れ水平状態との２つの状態で静止できる。標的部３は、蝶番４によって移動基台２と着脱自在である。
【００２４】
次ぎに、この発明の実施形態の飛び遊戯具の標的装置の作動について説明する。標的部３は、移動基台２に立った状態で移動レール１の一端にある始発点である一方の停止地点Ｓに位置する。装置の操作者が制御装置を始動させると、駆動モータ６４が駆動し駆動プーリ６２を回転させ、ワイヤーベルト６０を従動プーリ６３との間で回転させる。ワイヤーベルト６０の回転に従い、ワイヤーベルト６０と固定ネジ６１で取り付けられている移動基台２及び標的部３も適宜な速度で移動し始める（図１、図９参照）。
【００２５】
飛び遊戯具の使用者は、前側から標的部３の標的３０を目がけてエアガンの弾や矢等の飛び道具を発射する。発射した弾等が標的３０に当たると、標的３０は、取り付けられている標的取付板３３及び標的磁石３１とともに蝶番４を介して蝶番４の回動軸を回動中心として後側に倒れ水平状態になると同時に台部２１の前側面に設けられた当りランプ２２が点灯する。そのため離れた位置にいる選手等でも容易に標的３０が倒れたことを視認できる。標的部３は、倒れたとき少なくとも後面に設けられている標的磁石３１がほぼ水平の下方を向いた状態となる（図２、図１０参照）。
【００２６】
標的３０が、後側に倒れた状態のまま到達点である他方の停止地点Ｓに達し停止する。すると倒れた標的３０の下表面の標的磁石３１の位置は、第２磁石６の上表面の上方に位置し、接しない程度の狭い間隔で向かい合って重なり停止した状態に一瞬なる（図１１参照）。しかし標的磁石３１と固定磁石５が同じ磁極のため磁力の反発力で回動可能な標的磁石３１の方が上方へ反発して蝶番４の回動軸を回動中心として回動し移動基台２上に自動的かつ一瞬のうちに立つ。同時に台部２１の前側面に設けられた当りランプ２２は消灯する。そのため離れた位置にいる選手等でも容易に標的３０が立っていることを視認できる。
【００２７】
再び操作者が制御装置を始動させると、駆動モータ６４が逆回転し、駆動プーリ６２を逆回転させ、ワイヤーベルト６０を従動プーリ６３との間で逆回転させる。ワイヤーベルト６０の逆回転に従い、ワイヤーベルト６０と固定ネジ６１で取り付けられている移動基台２及び標的部３も適宜な速度で他方側へ移動し始める。
【００２８】
そして飛び遊戯具の使用者は、前側から標的３０目がけてエアガンの弾や矢等の飛び道具を発射し、当たると標的３０が後側に水平に倒れ、到達点である停止地点Ｓに至ると同様に倒れた標的３０の下表面の標的磁石３１の位置は、固定磁石５の上表面の上方に重なるか、一部重なるようにして位置する。そのとき標的磁石３１の下面と固定磁石５の上面は接しない程度の狭い間隔で向かい合って重なり、更に標的磁石３１と固定磁石５が同じなので磁極のため、磁力の反発力で回動可能な標的磁石３１の方が上方へ反発して蝶番４の回動軸を回動中心として回動し容易に一瞬のうちに移動基台２上に立つ。
【００２９】
このような移動基台２及び標的部３を移動路路１上を往復させ、その間に標的３０に弾等を当てる競技の制御を自動又は手動で繰り返すが、後側に倒れた標的３０は停止地点Ｓにある固定磁石５と標的部３の後側面にある標的磁石３１との反発する磁力によって瞬時に、かつ自動的に起きあがるため、迅速、正確、スムースに競技、ゲームを進行させることができる。
【産業上の利用可能性】
【００３０】
この発明は、エアガン、弓矢等の飛び遊戯具の標的装置、特にエアガン等を用いて実施される射撃競技用の標的装置としての利用可能性が高い。
【図面の簡単な説明】
【００３１】
【図１】この発明の実施形態である飛び遊戯具の標的装置の全体正面説明図であり、標的は立っている状態の図
【図２】同じく平面説明図であり標的は、後側に倒れた状態の図
【図３】同じく正面内部説明図であり、標的部を削除した状態の図
【図４】同じくこの発明の実施形態である飛び遊戯具の標的装置の移動路の一部切欠平面図
【図５】同じくこの発明の実施形態である飛び遊戯具の標的装置の移動路の一部切欠底面図
【図６】同じくこの発明の実施形態である飛び遊戯具の標的装置の移動路の一部切欠正面図
【図７】同じくこの発明の実施形態である飛び遊戯具の標的装置の標的と移動基台であり、標的が立っている状態の正面図
【図８】同じくこの発明の実施形態である飛び遊戯具の標的装置の標的と移動基台であり、標的が立っている状態の平面図
【図９】同じくこの発明の実施形態である飛び遊戯具の標的装置の標的と移動基台であり、標的が立っている状態の側面図
【図１０】同じくこの発明の実施形態である飛び遊戯具の標的装置の標的と移動基台であり、標的が弾等に当たって後側に倒れた状態の側面図
【図１１】同じくこの発明の実施形態である飛び遊戯具の標的装置の標的と移動基台であり、標的が後側に倒れた状態で到達点に達する直前の側面図
【図１２】同じくこの発明の実施形態である飛び遊戯具の標的装置の標的の後面図であり、標的と標的取付板の関係を示す後面説明図
【図１３】従来の飛び遊戯具の標的装置の全体正面説明図であり標的は立っている状態の図
【図１４】従来の飛び遊戯具の標的装置の全体平面説明図であり標的は後に倒れている状態の図
【図１５】（ａ）  従来の飛び遊戯具の標的装置の端部の部分正面説明図であり後側に倒れた標的が斜辺板に接触しはじめた状態の図、（ｂ）同じく従来の飛び遊戯具の標的装置の端部の部分正面説明図であり後側に倒れた標的が（ａ）から斜辺板に登って起きあがる中間状態の図、（ｃ）同じく従来の飛び遊戯具の標的装置の端部の部分正面説明図であり標的が端部まで行って標的が起きあがった状態の図
【符号の説明】
【００３２】
１  移動路
１０  走行案内孔
１１  上面部
１２  下面部
１３  保守点検孔
１４  アジャストパーツ
１５  端面部
１６  調整ネジ
１７  保護カバー
１８  保守点検開口部
２  移動基台
２０  車輪
２１  台部
２２  当りランプ
２３  固定ネジ
２４  中央ガイド突起
３  標的部
３０  標的
３１  標的磁石
３２  面ファスナー（ベルクロテープ）
３３  標的取付板
４  蝶番
４０  蝶番回転軸
５  固定磁石
５０  固定磁石設置板
６  移動基台駆動部
６０  ワイヤーベルト
６１  駆動モータ
６１０  駆動モータ駆動軸
６２  駆動プーリ
６２０  イモネジ
６３  従動プーリ
６３０  従動プーリ回転軸
Ｆ  前側
Ｂ  後側
Ｓ  停止地点（始発点、到達点）
【図１】
2008281233.tif 000003
【図２】
2008281233.tif 000004
【図３】
2008281233.tif 000005
【図４】
2008281233.tif 000006
【図５】
2008281233.tif 000007
【図６】
2008281233.tif 000008
【図７】
2008281233.tif 000009
【図８】
2008281233.tif 000010
【図９】
2008281233.tif 000011
【図１０】
2008281233.tif 000012
【図１１】
2008281233.tif 000013
【図１２】
2008281233.tif 000014
【図１３】
2008281233.tif 000015
【図１４】
2008281233.tif 000016
【図１５】
2008281233.tif 000017